(57)【要約】  操作が簡潔であり、感度がリムルス試薬と同等である、生体試料中のＢＧの免疫学的分析方法を行うことを課題とする。  アルカリ溶液を用いた生体試料の前処理とＢＧに特異的に反応する抗ＢＧモノクローナル抗体の使用とを組み合わせることにより、前記課題を解決することができる。【特許請求の範囲】
【請求項１】
アルカリ溶液を用いて生体試料を前処理する工程と
抗（１→３）−β−Ｄ−グルカンモノクローナル抗体を用いて、前記生体試料中の（１→３）−β−Ｄ−グルカンを分析する工程と
を含む、生体試料中の（１→３）−β−Ｄ−グルカンの免疫学的分析方法。
【請求項２】
前記生体試料が、血液、血漿、又は血清である、請求項１に記載の免疫学的分析方法。
【請求項３】
前記アルカリ溶液のｐＨが１１以上である、請求項１又は２に記載の免疫学的分析方法。
【請求項４】
ＥＬＩＳＡを用いる、請求項１〜３のいずれか一項に記載の免疫学的分析方法。
【請求項５】
以下の（ａ）及び（ｂ）を含む、生体試料中の（１→３）−β−Ｄ−グルカン分析用キット
（ａ）第１の抗（１→３）−β−Ｄ−グルカンモノクローナル抗体を固定化した固相、及び
（ｂ）生体試料用アルカリ前処理液。
【請求項６】
前記生体試料が、血液、血漿、又は血清である、請求項５に記載の（１→３）−β−Ｄ−グルカン分析用キット。
【請求項７】
前記（ｂ）生体試料用アルカリ前処理液のｐＨが、１１以上である、請求項５又は６に記載の（１→３）−β−Ｄ−グルカン分析用キット。
【請求項８】
（ｃ）前記生体試料用アルカリ前処理液の中和用溶液をさらに含む、請求項５〜７のいずれか一項に記載の（１→３）−β−Ｄ−グルカン分析用キット。
【請求項９】
（ｄ）標識物質で標識された第２の抗（１→３）−β−Ｄ−グルカンモノクローナル抗体をさらに含む、請求項５〜８のいずれか一項に記載の生体試料中の（１→３）−β−Ｄ−グルカン分析用キット。
【請求項１０】
抗（１→３）−β−Ｄ−グルカンモノクローナル抗体を使用する生体試料中の（１→３）−β−Ｄ−グルカンの免疫学的分析方法に使用するための、生体試料用アルカリ前処理液。
【請求項１１】
ｐＨが１１以上である、請求項１０に記載の生体試料用アルカリ前処理液。 
【発明の詳細な説明】
【技術分野】
【０００１】
本発明は、生体試料中の（１→３）−β−Ｄ−グルカン（以下、ＢＧと称することがある）の免疫学的分析方法に関する。また、本発明は、生体試料中のＢＧを分析するためのキット及び生体試料中のＢＧの免疫学的分析方法に使用するための生体試料用アルカリ前処理液に関する。
【背景技術】
【０００２】
β−Ｄ−グルカンは、複数のグルコース分子がβ型結合により結合した、グルコースのポリマーである。グルコースの１位の炭素原子は他のグルコースの５個の炭素である、１位、２位、３位、４位、及び６位の各々の炭素と結合可能である。自然界のβ−Ｄ−グルカンには、１位と３位（１→３）、１位と４位（１→４）、又は１位と６位（１→６）の結合の組み合わせが多いことが報告されている。【０００３】
β−Ｄ−グルカンは真菌の細胞壁構成成分であり、細菌等の他の微生物に見られない特徴的な物質である。この特徴により、β−Ｄ−グルカン分析は、深在性真菌症の検査に用いられている。深在性真菌症は、抵抗力が弱り免疫不全状態になった患者が罹患する日和見感染症の一種であり、患者は極めて重篤な状態に陥る。代表的な深在性真菌症の原因菌として、Ｃａｎｄｉｄａ属とＡｓｐｅｒｇｉｌｌｕｓ属が挙げられる。これらの原因菌の細胞壁にはＢＧが共通して存在することから、体液中のＢＧの測定が、深在性真菌症感染の補助診断のために使用されている。【０００４】
現在、カブトガニが持つＢＧへの防御反応を利用したリムルス試薬が、深在性真菌症の検査に使用されている（特許文献１及び２）。このリムルス試薬は、体外診断用医薬品として認可されている。しかしながら、このリムルス試薬を使用する方法は、天然資源であるカブトガニの血液を必要としており、資源の枯渇が懸念されることに加え、一定の品質を保つことにコストがかかる。また、複数工程を必要とする用手法であるためバラつきが出やすいこともこの方法の欠点として挙げられる。【０００５】
近年、リムルス試薬が有する欠点を解消し、ＢＧをより迅速にかつ簡易的に測定するために、ＢＧを認識する抗体を用いてＢＧを測定することが試みられている（特許文献３及び４、非特許文献１〜３）。しかしながら、これらの方法に用いられている抗体は、ＢＧの測定感度に関してリムルス試薬には遠く及ばないものであった。したがって、臨床用に、すなわち、真菌由来のＢＧを含む血漿などの実検体において使用できる、ＢＧを測定するための免疫学的分析方法は未だ存在しない状況であった。
【先行技術文献】
【特許文献】
【０００６】
【特許文献１】特許第５０８９３７５号公報
【特許文献２】特許第３５５３６５６号公報
【特許文献３】特開平４−３４６７９１号公報
【特許文献４】特許第５０５４４２６号公報
【非特許文献】
【０００７】
【非特許文献１】Ｕｓｅ ｏｆ ｂｅｔａ−１,３−ｇｌｕｃａｎ−ｓｐｅｃｉｆｉｃ ａｎｔｉｂｏｄｙ ｔｏ ｓｔｕｄｙ ｔｈｅ ｃｙｓｔ ｗａｌｌ ｏｆ Ｐｎｅｕｍｏｃｙｓｔｉｓ ｃａｒｉｎｉｉ ａｎｄ ｅｆｆｅｃｔｓ ｏｆ ｐｎｅｕｍｏｃａｎｄｉｎ Ｂ０ ａｎａｌｏｇ Ｌ−７３３，５６０．Ａｎｔｉｍｉｃｒｏｂｉａｌ Ａｇｅｎｔｓ ａｎｄ Ｃｈｅｍｏｔｈｅｒａｐｙ  １９９４  Ｏｃｔ；３８（１０）：２２５８−２２６５。
【非特許文献２】Ｐｌａｓｍａ （１→３）−β−Ｄ−ｇｌｕｃａｎ ａｓｓａｙ ａｎｄ ｉｍｍｕｎｏｈｉｓｔｏｃｈｅｍｉｃａｌ ｓｔａｉｎｉｎｇ ｏｆ (１→３)−β−Ｄ−ｇｌｕｃａｎ ｉｎ ｔｈｅ ｆｕｎｇａｌ ｃｅｌｌ ｗａｌｌｓ ｕｓｉｎｇ ａ ｎｏｖｅｌ ｈｏｒｓｅｓｈｏｅ ｃｒａｂ ｐｒｏｔｅｉｎ （Ｔ―ＧＢＰ） ｔｈａｔ ｓｐｅｃｉｆｉｃａｌｌｙ ｂｉｎｄｓ ｔｏ（１→３）−β−Ｄ−ｇｌｕｃａｎ  Ｊｏｕｒｎａｌ ｏｆ Ｃｌｉｎｉｃａｌ Ｌａｂｏｒａｔｏｒｙ Ａｎａｌｙｓｉｓ  １９９７  Ｖｏｌｕｍｅ  １１, Ｉｓｓｕｅ  ２, １０４−１０９。
【非特許文献３】Ａ ｎｏｖｅｌ ｍｏｎｏｃｌｏｎａｌ ａｎｔｉｂｏｄｙ ｒｅｃｏｇｎｉｚｉｎｇ ｂｅｔａ（１−３） ｇｌｕｃａｎｓ ｉｎ ｉｎｔａｃｔ ｃｅｌｌｓ ｏｆ Ｃａｎｄｉｄａ ａｎｄ Ｃｒｙｐｔｏｃｏｃｃｕｓ．ＡＰＭＩＳ  ２００８ Ｏｃｔ；１１６（１０）：８６７−８７６。
【発明の概要】
【発明が解決しようとする課題】
【０００８】
上記のように、ＢＧを認識する抗体を用いてＢＧを測定する従来の技術では、ＢＧの測定感度に関して、リムルス試薬には及ばなかった。したがって、ＢＧの検出感度がリムルス試薬と同等であり、そして操作が簡便である、抗体を利用したＢＧ分析法が望まれていた。
【課題を解決するための手段】
【０００９】
本発明者らは上記課題を解決するために鋭意検討し、ＢＧを特異的に認識する抗体を作出した。さらに、生体試料に対してアルカリ溶液による前処理を行うことで、感度がリムルス試薬と同等であるＢＧの免疫学的分析方法を行うことが可能であることを見出し、本発明を完成するに至った。すなわち、従来の抗体を使用するＢＧの免疫学的分析方法は感度が低く、臨床的に用いることができる感度ではなかった。本発明においては、アルカリ溶液を用いた生体試料の前処理とＢＧに特異的に反応する抗（１→３）−β−Ｄ−グルカンモノクローナル抗体（以下、抗ＢＧモノクローナル抗体と称することがある）の使用とを組み合わせることにより、生体試料中のＢＧを高感度で分析することが可能となったのである。すなわち、従来の抗体を使用するＢＧの免疫学的分析方法は、生体試料１ｍＬ中にナノグラム単位で存在するＢＧを検出可能であるが、本発明の免疫学的分析方法では、生体試料１ｍＬ中にピコグラム単位で存在するＢＧまで検出可能である。
具体的に、本発明は以下のとおりである。
＜１＞アルカリ溶液を用いて生体試料を前処理する工程と
抗（１→３）−β−Ｄ−グルカンモノクローナル抗体を用いて、前記生体試料中の（１→３）−β−Ｄ−グルカンを分析する工程と
を含む、生体試料中の（１→３）−β−Ｄ−グルカンの免疫学的分析方法、
＜２＞前記生体試料が、血液、血漿、又は血清である、＜１＞に記載の免疫学的分析方法、
＜３＞前記アルカリ溶液のｐＨが１１以上である、＜１＞又は＜２＞に記載の免疫学的分析方法、
＜４＞ＥＬＩＳＡを用いる、＜１＞〜＜３＞のいずれかに記載の免疫学的分析方法、
＜５＞以下の（ａ）及び（ｂ）を含む、生体試料中の（１→３）−β−Ｄ−グルカン分析用キット
（ａ）第１の抗（１→３）−β−Ｄ−グルカンモノクローナル抗体を固定化した固相、及び
（ｂ）生体試料用アルカリ前処理液、
＜６＞前記生体試料が、血液、血漿、又は血清である、＜５＞に記載の（１→３）−β−Ｄ−グルカン分析用キット、
＜７＞前記（ｂ）生体試料用アルカリ前処理液のｐＨが、１１以上である、＜５＞又は＜６＞に記載の（１→３）−β−Ｄ−グルカン分析用キット、
＜８＞（ｃ）前記生体試料用アルカリ前処理液の中和用溶液をさらに含む、＜５＞〜＜７＞のいずれかに記載の（１→３）−β−Ｄ−グルカン分析用キット、
＜９＞（ｄ）標識物質で標識された第２の抗（１→３）−β−Ｄ−グルカンモノクローナル抗体をさらに含む、＜５＞〜＜８＞のいずれかに記載の生体試料中の（１→３）−β−Ｄ−グルカン分析用キット、
＜１０＞抗（１→３）−β−Ｄ−グルカンモノクローナル抗体を使用する生体試料中の（１→３）−β−Ｄ−グルカンの免疫学的分析方法に使用するための、生体試料用アルカリ前処理液、並びに
＜１１＞ｐＨが１１以上である、＜１０＞に記載の生体試料用アルカリ前処理液。
【発明の効果】
【００１０】
本発明によれば、感度がリムルス試薬と同等である、生体試料中のＢＧの免疫学的分析方法を行うことが可能である。本発明によれば、感度がリムルス試薬と同等である生体試料中のＢＧの免疫学的分析用キットを提供することができる。
【図面の簡単な説明】
【００１１】
【図１】酸溶液による前処理又は熱による前処理と比較した、アルカリ溶液による前処理による本発明の効果を示すグラフである。
【図２】酸溶液による前処理又は熱による前処理と比較した、アルカリ溶液による前処理による本発明の効果を示すグラフである。
【図３】ｐＨの違いが本発明の効果に及ぼす影響を示すグラフである。
【図４】アルカリ溶液による前処理時間の検討結果を表すグラフである。
【図５】アルカリ溶液による前処理時の温度条件の検討結果を示すグラフである。
【図６】本発明のＢＧの免疫学的分析方法の検出下限の検討結果を表すグラフである。
【図７】本発明のＢＧの免疫学的分析方法と市販のリムルス試薬との相関を示すグラフである。
【発明を実施するための形態】
【００１２】
［１］生体試料中の（１→３）−β−Ｄ−グルカンの免疫学的分析方法
（生体試料）
本発明における「生体試料」としては、主に生体（生物）由来の固形組織及び体液を挙げることができ、体液を用いることが好ましい。本発明における生体試料は、より好ましくは、血液、血清、血漿、尿、唾液、喀痰、涙液、耳漏、又は前立腺液であり、さらに好ましくは血液、血清又は血漿であり、さらに好ましくは深在性真菌症に罹患している疑いのある対象の血液、血清又は血漿であり、最も好ましくはＣａｎｄｉｄａ属及び／又はＡｓｐｅｒｇｉｌｌｕｓ属を原因菌とする深在性真菌症に罹患している疑いのある対象の血液、血清又は血漿である。生体又は対象は、ヒト又は動物（例えば、サル、イヌ、ネコ、マウス、モルモット、ラット、ハムスター、ウマ、ウシ、ブタ、鳥類、及び魚類）を含み、好ましくはヒトである。
【００１３】
（前処理）
本発明の免疫学的分析方法は、アルカリ溶液を用いて生体試料を前処理する工程を含む。前処理を行う時間は特に限定されず、例えば、３０秒以内、１分以内、３分以内、又は５分以内である。前処理を５分以上行ってもよい。アルカリ溶液による前処理の前又は後に、本発明の効果が得られる限りにおいて、熱処理などを行うこともできる。なお、「アルカリ溶液を用いて生体試料を前処理する」とは、アルカリ溶液と生体試料とを接触させることを意味する。
【００１４】
（アルカリ溶液）
本発明における前処理工程において使用されるアルカリ溶液は、本発明の効果が得られる限りにおいて特に限定されるものではないが、例えば、アルカリ金属の水酸化物を用いることができる。水酸化ナトリウム（ＮａＯＨ）、水酸化カリウム（ＫＯＨ）、又は水酸化リチウム（ＬｉＯＨ）が特に好ましい。
【００１５】
アルカリ溶液のｐＨは、８以上、好ましくは９以上、より好ましくは１０以上、さらに好ましくは１１以上、最も好ましくは１２以上である。アルカリ溶液のモル濃度は、本発明の効果が得られる限りにおいて限定されることはないが、例えばＫＯＨを用いた場合は１ｍＭ以上、好ましくは４．５ｍＭ以上、より好ましくは９ｍＭ以上、さらに好ましくは１８ｍＭ以上、さらに好ましくは３５ｍＭ以上、最も好ましくは５０ｍＭ以上である。
【００１６】
（アルカリ溶液の温度）
本発明における前処理工程において使用されるアルカリ溶液の温度は、本発明の効果が得られる限りにおいて特に限定されるものではない。具体的には、例えば、下限として０℃以上、４℃以上、１０℃以上、又は２０℃以上であることができ、上限としては、７０℃以下、６０℃以下、５０℃以下、４０℃以下、又は３７℃以下であることができる。具体的な範囲としては、０〜７０℃が好ましく、４〜６０℃がより好ましく、４〜５０℃がさらに好ましく、４〜４０℃が最も好ましい。
【００１７】
本発明における前処理工程において使用されるアルカリ溶液のｐＨ及び温度は、ｐＨが９以上且つ温度が４〜７０℃であることが好ましく、ｐＨが１０以上且つ温度が４〜６０℃であることが好ましく、ｐＨが１１以上且つ温度が４〜５０℃であることがさらに好ましく、ｐＨが１２以上且つ温度が４〜４０℃であることが最も好ましい。
【００１８】
（アルカリ溶液の中和）
アルカリ溶液を用いて生体試料を処理した後、アルカリ溶液を中和することが好ましい。アルカリ溶液の中和に使用する溶液としては、本発明の効果が得られる限りにおいて限定されることはないが、例えば、Ｔｒｉｓ／ＨＣｌ等が挙げられる。中和後のｐＨは、使用する抗体及び生体試料に応じて適宜調整することができるが、ｐＨ６〜９、ｐＨ６．５〜８．５、又はｐＨ７〜８の間に調整することが例示できる。
【００１９】
（（１→３）−β−Ｄ−グルカン）
本明細書において、「（１→３）−β−Ｄ−グルカン」及び「ＢＧ」は、グルコースの１位の炭素と他のグルコースの３位の炭素とがβ型の結合様式により結合したグルカンを意味する。ＢＧは、３重らせん構造という独特の構造を有する。本明細書において、「（１→３）−β−Ｄ−グルカン」及び「ＢＧ」は、この３重らせん構造の外側の側鎖に（１→６）様式でグルコースが結合した、ラミナリン、レンチナン等の（１→３）（１→６）−β−Ｄ−グルカンを含むこともできる。また、本明細書において、「（１→３）−β−Ｄ−グルカン」及び「ＢＧ」は、（１→３）結合様式に加えて（１→４）の結合様式を含む、オオムギ由来βグルカン、リケナン等の（１→３）（１→４）−β−Ｄ−グルカンを含むこともできる。
【００２０】
本発明における「（１→３）−β−Ｄ−グルカン」又は「ＢＧ」としては、ラミナリン、レンチナン、パキマン、カードラン、ラミナリテトラオース、パラミロン、カルボキシメチルパキマン、カルボキシメチルカードラン、及び深在性真菌症の原因となる真菌の細胞壁に存在するＢＧ（例えば、Ａｓｐｅｒｇｉｌｌｕｓ属真菌の細胞壁に存在するＢＧ、及びＣａｎｄｉｄａ属真菌の細胞壁に存在するＢＧ）を例示できる。
【００２１】
本明細書において「深在性真菌症」とは、真菌が肺、肝臓、腎臓、又は脳などの体の深部に入り込んで感染を起こす状態を意味する。深在性真菌症は、臓器移植を受けた患者及び免疫抑制薬を投与されている患者において主に発生する。深在性真菌症の原因菌としては、Ａｓｐｅｒｇｉｌｌｕｓ属真菌及びＣａｎｄｉｄａ属真菌が例示でき、本発明の免疫学的分析方法では、これらの真菌の細胞壁に存在するＢＧを効果的に分析することができる。
【００２２】
（抗（１→３）−β−Ｄ−グルカンモノクローナル抗体）
本発明において使用される抗（１→３）−β−Ｄ−グルカンモノクローナル抗体及び「抗ＢＧモノクローナル抗体」は、ＢＧと特異的に反応する。「ＢＧと特異的に反応する」とは、ＢＧとは反応するが、類似した構造を有する物質とは実質的に反応しないことを意味する。「実質的に反応しない」の意味は後述する。本発明において使用される抗ＢＧモノクローナル抗体の具体例としては、モノクローナル抗体８６２０２Ｒ、８６２０７、及び８６２０８が挙げられる。
【００２３】
本明細書において、ＢＧと「反応する」、ＢＧを「認識する」、ＢＧと「結合する」は、同義で用いられるが、これらの例示に限定されることはなく、最も広義に解釈する必要がある。抗体がＢＧなどの抗原（化合物）と「反応する」か否かの確認は、抗原固相化ＥＬＩＳＡ法、競合ＥＬＩＳＡ法、サンドイッチＥＬＩＳＡ法などにより行うことができるほか、表面プラズモン共鳴（ｓｕｒｆａｃｅ  ｐｌａｓｍｏｎ  ｒｅｓｏｎａｎｃｅ）の原理を利用した方法（ＳＰＲ法）などにより行うことができる。ＳＰＲ法は、Ｂｉａｃｏｒｅ（登録商標）の名称で市販されている、装置、センサー、試薬類を使用して行うことができる。
【００２４】
本発明に使用される抗体と、ある化合物が「反応しない」とは、本発明に使用される抗体がある化合物と実質的に反応しないことをいい、「実質的に反応しない」とは、例えば、上記ＳＰＲ法に基づき、Ｂｉａｃｏｒｅ（登録商標）Ｔ１００やＴ２００を使用し、本発明の抗体を固定化して測定を行った場合に、本発明に使用される抗体の反応性の増強が認められないことをいう。詳細には、抗体と化合物との反応性が、コントロール（化合物非添加）の反応性と比べて有意な差がないことをいう。上記ＳＰＲ法以外の当業者に周知の方法又は手段によっても「実質的に反応しない」ことを確認できるのはいうまでもない。
【００２５】
本発明の免疫学的分析方法において使用される抗ＢＧモノクローナル抗体は、本発明の効果が得られる限りにおいて、該モノクローナル抗体の機能を有する断片を含む。例えば、抗ＢＧモノクローナル抗体の酵素的消化により得られる該モノクローナル抗体のＦａｂ部分を含む機能性断片、遺伝子組換えによって作製される該モノクローナル抗体のＦａｂ部分を含む機能性断片、及びファージディスプレイ法で作製されたｓｃＦｖを含む機能性断片等が挙げられる。
【００２６】
本発明の免疫学的分析方法において使用される抗体は、抗原（免疫原）としてラミナリヘプタオースなどのＢＧをリン酸緩衝生理食塩水などの溶媒に溶解し、この溶液を動物に投与して免疫することにより製造できる。必要に応じて前記溶液に適宜のアジュバントを添加した後、エマルジョンを用いて免疫を行ってもよい。アジュバントとしては、油中水型乳剤、水中油中水型乳剤、水中油型乳剤、リポソーム、水酸化アルミニウムゲルなどの汎用されるアジュバントのほか、生体成分由来のタンパク質やペプチド性物質などを用いてもよい。例えば、フロイントの不完全アジュバント又はフロイントの完全アジュバントなどを好適に用いることができる。アジュバントの投与経路、投与量、投与時期は特に限定されないが、抗原を免疫する動物において所望の免疫応答を増強できるように適宜選択することが望ましい。
【００２７】
免疫に用いる動物の種類も特に限定されないが、哺乳動物が好ましく、例えばマウス、ラット、ウシ、ウサギ、ヤギ、ヒツジ、アルパカなどを用いることができ、より好ましくはマウス又はラットを用いることができる。動物の免疫は、一般的な手法に従って行えばよく、例えば、抗原の溶液、好ましくはアジュバントとの混合物を動物の皮下、皮内、静脈、又は腹腔内に注射することにより免疫を行うことができる。免疫応答は、一般的に免疫される動物の種類及び系統によって異なるので、免疫スケジュールは使用される動物に応じて適宜設定することが望ましい。抗原投与は最初の免疫後に何回か繰り返し行うことが好ましい。
【００２８】
モノクローナル抗体を得るために、引き続き以下の操作が行われるがそれに限定されることはなく、モノクローナル抗体それ自体の製造方法については当業界で周知されており、かつ汎用されているので当業者は前記の抗原を用いることによって本発明の免疫学的分析方法において使用される抗体を容易に製造することが可能である（例えばＡｎｔｉｂｏｄｉｅｓ，Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ Ｐｒｅｓｓ，（１９８８） 第６章などを参照のこと）。
【００２９】
最終免疫後、免疫した動物から抗体産生細胞である脾臓細胞あるいはリンパ節細胞を摘出し、高い増殖能を有する骨髄腫由来の細胞株と細胞融合することによりハイブリドーマを作製することができる。細胞融合には抗体産生能（質・量）が高い細胞を用いることが好ましく、また骨髄腫由来の細胞株は融合する抗体産生細胞の由来する動物と適合性があることが好ましい。細胞融合は、当該分野で公知の方法に従って行うことができるが、例えば、ポリエチレングリコール法、センダイウイルスを用いた方法、電流を利用する方法などを採用することができる。得られたハイブリドーマは当業界で汎用の条件に従って増殖させることができ、産生される抗体の性質を確認しつつ所望のハイブリドーマを選択することができる。ハイブリドーマのクローニングは、例えば限界希釈法や軟寒天法などの周知の方法により行うことが可能である。
【００３０】
ハイブリドーマの選択は、産生される抗体が実際の測定に用いられる条件を考慮し、選択の段階で効率的に行うこともできる。例えば、動物に免疫して得られた抗体を、交差反応性を確認したい化合物の存在下、固相に固定化したＢＧと反応させ、交差反応性を確認したい化合物の非存在下での反応性と比較することにより所望の抗体を産生するハイブリドーマをより効率よく選抜することができる。また、動物に免疫して得られた抗体を、生物試料由来成分の存在下、固相に固定化したＢＧと反応させ、生物試料由来成分の非存在下での反応性と比較することにより所望の抗体を産生するハイブリドーマをより効率よく選択することもできる。
【００３１】
クローニング工程後、産生される抗体とＢＧとの結合能をＥＬＩＳＡ法、ＲＩＡ法、蛍光抗体法などの方法を用いてアッセイすることにより、選択されたハイブリドーマが所望の性質を有するモノクローナル抗体を産生するか否かを確認することができる。
前記のようにして選別されたハイブリドーマを大量培養することにより、所望の特性を有するモノクローナル抗体を製造することができる。大量培養の方法は特に限定されないが、例えば、ハイブリドーマを適宜の培地中で培養してモノクローナル抗体を培地中に産生させる方法や、哺乳動物の腹腔内にハイブリドーマを注射して増殖させ、腹水中に抗体を産生させる方法などを挙げることができる。モノクローナル抗体の精製は、先述した抗血清からの抗体の精製法、例えばＤＥＡＥ陰イオン交換クロマトグラフィー、アフィニティークロマトグラフィー、硫安分画法、ＰＥＧ分画法、エタノール分画法などを適宜組み合わせて行うことができる。
【００３２】
本発明の免疫学的分析方法において使用される抗体としては、抗体分子全体のほかに抗原抗体反応活性を有する抗体のフラグメントを使用することも可能であり、前記のように動物への免疫工程を経て得られたもののほか、遺伝子組み換え技術を使用して得られるものやキメラ抗体を用いることも可能である。抗体の断片としては機能性の断片であることが好ましく、例えば、Ｆ（ａｂ’）２、Ｆａｂ’、ｓｃＦｖなどが挙げられ、これらのフラグメントは前記のようにして得られる抗体をタンパク質分解酵素（例えば、ペプシンやパパインなど）で処理すること、あるいは該抗体のＤＮＡをクローニングして大腸菌や酵母を用いた培養系で発現させることにより製造できる。
【００３３】
また、本発明の免疫学的分析方法において抗体は、不溶性担体上に固定された固定（固相）化抗体として使用したり、後述する当業者に周知慣用の標識物質で標識した標識抗体として使用することができる。例えば、不溶性担体にモノクローナル抗体を物理的に吸着させ、あるいは化学的に結合（適当なスペーサーを介してよい）させることにより固定化抗体を製造することができる。不溶性担体としては、ポリスチレン樹脂などの高分子基材、ガラスなどの無機基材、セルロースやアガロースなどの多糖類基材などからなる不溶性担体を用いることができ、その形状は特に限定されず、板状（例えば、マイクロプレートやメンブレン）、ビーズあるいは粒子状（例えば、ラテックス粒子、磁性粒子）、筒状（例えば、試験管）など任意の形状を選択できる。
【００３４】
本発明の免疫学的分析方法において使用される抗体と結合可能な標識抗体（二次抗体）を用いることにより、ＢＧに結合した抗体の量を測定することができ、それにより生体試料中のＢＧを検出することができる。標識抗体を製造するための標識物質としては、例えば酵素、蛍光物質、化学発光物質、ビオチン、アビジン、又は放射性同位体、金コロイド粒子、着色ラテックスなどが挙げられる。標識物質と抗体との結合法としては、当業者に利用可能なグルタルアルデヒド法、マレイミド法、ピリジルジスルフィド法、又は過ヨウ素酸法などの方法を用いることができるが、固定化抗体や標識抗体の種類、及びそれらの製造方法は前記の例に限定されることはない。例えば、ホースラディッシュ・ペルオキシダーゼ（ＨＲＰ）やアルカリホスファターゼ（ＡＬＰ）などの酵素を標識物質として用いる場合にはその酵素の特異的基質（酵素がＨＲＰの場合には、例えばＯ-フェニレンジアミン（ＯＰＤ）あるいは３，３’，５，５’-テトラメチルベンジジン（ＴＭＢ）、ＡＬＰの場合にはｐ-ニトロフェニル・ホスフェートなど）を用いて酵素活性を測定することができ、ビオチンを標識物質として用いる場合には少なくともアビジンあるいは酵素修飾アビジンを反応させるのが一般的である。本発明の免疫学的分析方法においては、標識物質としてビオチン又はＨＲＰを使用することが好ましい。
【００３５】
本明細書において、「不溶性担体」を「固相」、抗原や抗体を不溶性担体に物理的あるいは化学的に担持させることあるいは担持させた状態を「固定」、「固定化」、「固相化」と表現することがある。また、「分析」、「検出」、又は「測定」という用語は、ＢＧの存在の証明及び／又は定量などを含めて最も広義に解釈する必要があり、いかなる意味においても限定的に解釈してはならない。
【００３６】
（免疫学的分析方法）
本発明の免疫学的分析方法としては、ＥＬＩＳＡ、酵素免疫測定法、免疫組織染色法、表面プラズモン共鳴法、ラテックス凝集免疫測定法、化学発光免疫測定法、電気化学発光免疫測定法、蛍光抗体法、放射免疫測定法、免疫沈降法、ウエスタンブロット法、イムノクロマトグラフ法、及び高速液体クロマトグラフィー法（ＨＰＬＣ法）等が挙げられるが、これらに限定されるものではない。本発明の免疫学的分析方法としては、ＥＬＩＳＡを用いることが好ましい。ＥＬＩＳＡの中でも、固相に固定した第１の抗ＢＧモノクローナル抗体と標識した第２の抗ＢＧモノクローナル抗体とを使用するサンドイッチＥＬＩＳＡが好ましい。この場合、第１の抗ＢＧモノクローナル抗体として、８６２０７抗体を用い、第２の抗ＢＧモノクローナル抗体として、８６２０２Ｒ抗体を用いることができる。なお、第１の抗ＢＧモノクローナル抗体と第２の抗ＢＧモノクローナル抗体は同一の抗体を用いてもよい。さらに固相に固相化する抗体、あるいは標識抗体は、それぞれ複数の抗体を混合してもよい。標識抗体に対する標識物質としては、ビオチン又はＨＲＰを使用することが好ましい。
【００３７】
（深在性真菌症の診断、診断補助、及び治療）
本発明の免疫学的分析方法の分析結果に基づき、対象が深在性真菌症に罹患しているか否かを診断することができ、又は診断の補助とすることができる。従来の抗体を利用した免疫学的分析方法では感度が不足しており、罹患早期の深在性真菌症患者では、陰性と判断されてしまう恐れがあった。深在性真菌症は早期発見及び早期治療が重要となる。本発明の高感度な免疫学的分析方法を使用すれば、深在性真菌症の早期発見及び早期治療を実現できるものである。
また、本発明の免疫学的分析方法を行った後、必要に応じて、生体試料中のＢＧを分析する工程の結果に基づき、他の深在性真菌症分析方法の患者への実施、及び／又は深在性真菌症治療薬の患者への投与を実施してもよい。
【００３８】
本発明の免疫学的分析方法は、生体試料中に含まれる６ｐｇ／ｍＬ以上のＢＧを検出する工程、及び／又は前記検出工程の結果に基づき生体試料を採取した対象が深在性真菌症に罹患している又は罹患している疑いがあると診断する工程、又は診断を補助する工程を含むことができる。カットオフ値は生体試料の種類または免疫学的分析方法の種類に応じて適宜設定することができる。例えば、本発明の免疫学的分析方法は、生体試料中に含まれる７ｐｇ／ｍＬ以上、８ｐｇ／ｍＬ以上、９ｐｇ／ｍＬ以上、１０ｐｇ／ｍＬ以上、１１ｐｇ／ｍＬ以上、２０ｐｇ／ｍＬ以上、５０ｐｇ／ｍＬ以上、８０ｐｇ／ｍＬ以上、又は１００ｐｇ／ｍＬ以上のＢＧを検出する工程、及び／又は前記検出工程の結果に基づき生体試料を採取した対象が深在性真菌症に罹患している又は罹患している疑いがあると診断する工程、診断を補助する工程を含むことができる。さらに、前記生体試料を採取した対象が、抗癌剤または免疫抑制剤を投与されている対象であることができる。
【００３９】
［２］生体試料中の（１→３）−β−Ｄ−グルカン分析用キット
本発明により提供されるキットは、（ａ）第１の抗ＢＧ抗体を固定化したプレートなどの固相、及び（ｂ）生体試料用アルカリ前処理液を含み、好ましくは（ｄ）標識物質で標識された第２の抗ＢＧモノクローナル抗体を含む。第１の抗ＢＧモノクローナル抗体を固定化した固相は、生体試料中のＢＧを捕捉して、ＢＧ−抗体複合体を形成する。標識物質で標識された第２の抗ＢＧモノクローナル抗体は、このＢＧ−抗体複合体に反応してサンドイッチを形成する。標識物質に応じた方法により標識物質の量を測定することにより、試料中のＢＧを測定することができる。第１の抗ＢＧモノクローナル抗体の固相への固定化の方法、第２の抗ＢＧモノクローナル抗体の標識物質での標識の方法など、キットを構成する上での具体的な方法は本明細書中に記載された方法のほか、当業者に周知の方法を制限なく使用することができる。
【００４０】
第１の抗ＢＧモノクローナル抗体及び第２の抗ＢＧモノクローナル抗体としては、ＢＧと特異的に反応する抗ＢＧモノクローナル抗体であれば特に限定されない。例えば、第１の抗ＢＧモノクローナル抗体として、８６２０７抗体を用い、第２の抗ＢＧモノクローナル抗体として、８６２０２Ｒ抗体を用いることができる。
【００４１】
標識物質としては、例えば、蛍光物質、化学発光物質、ビオチン、アビジンなどの当業者に公知の標識物質を使用することができる。標識物質と抗体との結合法としては、使用する標識物質及び抗体に応じて公知の結合法の中から適宜選択することができ、例えば、グルタルアルデヒド法、マレイミド法、ピリジルジスルフィド法、又は過ヨウ素酸法などの方法を用いることができる。標識物質として、ビオチン又はＨＲＰを使用することが好ましい。
【００４２】
本発明のキットには、他に使用説明書などを含むこともできる。キットは、任意の構成要素、例えば緩衝剤、安定化剤、反応容器等を含んでいてもよい。なお、（ｂ）生体試料用アルカリ前処理液には、アルカリ性の検体抽出液及びアルカリ性の検体希釈液も含まれる。
【００４３】
本発明のキットは、生体試料中に含まれる６ｐｇ／ｍＬ以上のＢＧを検出することができ、この結果をもとに生体試料を採取した対象が深在性真菌症に罹患している又は罹患している疑いがあると診断することができる。カットオフ値は生体試料の種類等に応じて適宜設定することができる。例えば、本発明のキットは、生体試料中に含まれる７ｐｇ／ｍＬ以上、８ｐｇ／ｍＬ以上、９ｐｇ／ｍＬ以上、１０ｐｇ／ｍＬ以上、１１ｐｇ／ｍL以上、２０ｐｇ／ｍL以上、５０ｐｇ／ｍL以上、８０ｐｇ／ｍL以上、又は１００ｐｇ／ｍＬ以上のＢＧを検出することができ、この結果を基に、生体試料を採取した対象が深在性真菌症に罹患している又は罹患している疑いがあると診断することができる。
【００４４】
以下、実施例によって本発明を具体的に説明するが、これらは本発明の範囲を限定するものではない。
【実施例】
【００４５】
〔試験例１〕本発明に使用するモノクローナル抗体の製造方法
１．免疫用抗原の調製
グルコース７個が直鎖状に重合した構造を有するＢＧであるラミナリヘプタオース（生化学バイオビジネス社製）を免疫用抗原として使用した。ラミナリヘプタオース−トランスフェリンコンジュゲートを非特許文献１に記載の調製方法と同じ方法で調製し、免疫用抗原として使用した。【００４６】
２．ハイブリドーマの作製及び抗体の採取
調製したラミナリヘプタオース−トランスフェリンコンジュゲートの溶液（１ｍｇ／ｍＬ）１００μｌ、０．１ＭＰＢＳ（ｐＨ７．２）０．２５ｍＬ及びフロイントのアジュバント（完全アジュバントまたは完全アジュバント）０．２５ｍＬからなる懸濁液の全量をＢＡＬＢ／ｃマウス（雌）及びＦ３４４／Ｊｃ１ラット（雌）の背部皮下又は腹腔にそれぞれ計３−６回投与した。投与間隔は２週間で、最初の投与はフロイントの完全アジュバントを、後の４回はフロイントの不完全アジュバントを用いた。５回目の投与の１週間後にマウス及びラットを開腹してそれらの脾臓をとり、ピペッティングにより単細胞を得た。【００４７】
これらの脾細胞を血清無添加のＰＲＭＩ１６４０培地で２回洗浄し、脾細胞５×１０７個に対し、別に培養を行ない洗浄したマウスミエローマ細胞（Ｘ−６３−Ａｇ８−６．５．３）１×１０７個の割合で混合して遠心分離を行ない、上清を除去した。沈渣をよく溶かし、融合促進剤であるポリエチレングリコール１５４０（１ｍＬ）を３７℃で１分間かけてゆっくりと添加し、さらに１分間撹拌して融合を行なった。これらの融合細胞（ハイブリドーマ）を牛胎児血清添加ＲＰＭＩ１６４０培地１０ｍＬで懸濁して遠心分離した後、その残渣を９６穴培養用プレート一枚にまき、３７℃、５％ＣＯ２インキュベーターで１週間培養した。ＨＡＴ培地で１週間、３７℃で培養した後、ハイブリドーマだけを選択的に採取した。それらの培養上清液を採取し、抗原としてＢＧの一種であるラミナリンを用いたＥＬＩＳＡを行い、反応性が高いハイブリドーマ３種（ラット由来：８６２０２Ｒ、マウス由来：８６２０７及び８６２０８）を選択し、クローニングを行った。各ハイブリドーマ細胞を腹腔注射したマウスから腹水を採取し、−８０℃で凍結保存した。プロテインＡ又はプロテインＧカラムを用いて、凍結保存した腹水から各抗体を精製した。【００４８】
〔実施例１：前処理の相違（アルカリ、酸、又は熱）が検体中のＢＧ測定感度に及ぼす影響の確認〕
実施例１では、ヒト血漿検体を用いてサンドイッチＥＬＩＳＡを行い、アルカリによる前処理、酸による前処理、又は熱による前処理がＢＧ測定感度に与える影響を検討した。
固相用抗体として８６２０７抗体を使用し、液相抗体として、ビオチン標識８６２０２Ｒ抗体を使用した。【００４９】
１−１．アルカリによる前処理
ヒト血漿検体４４μＬにアルカリ前処理液７７．４μＬ（１５０ｍＭ ＫＯＨ：水酸化カリウム）を添加し、３７℃で１５分間インキュベートした。その後、アルカリ前処理液に１Ｍ Ｔｒｉｓ／ＨＣｌ（ｐＨ７．５）を９８．６μＬ添加し、アルカリ前処理液を中和した(合計２２０μＬ, 検体５倍希釈, 中和後のｐＨは７．９未満)。これをアルカリ前処理検体とした。
また、アルカリ前処理液７７．４μＬにあらかじめ１Ｍ Ｔｒｉｓ／ＨＣｌ（ｐＨ７．５）を９８．６μＬ添加して中和した。その後にヒト血漿検体４４μＬを加え、同じ溶液組成でアルカリ前処理をしていない検体を得た。【００５０】
１−２．酸による前処理（過塩素酸）
ヒト血漿検体８０μＬに２．５％過塩素酸８０μＬを添加し、３７℃で１５分間インキュベートした（白色の沈殿物が生じた）。その後、インキュベートした検体を遠心し（１４０００ｒｐｍ, １５分, ４℃）、上清８８μＬを回収し、１Ｍ Ｔｒｉｓ／Ｃｌ（ｐＨ７．５）を１３８μＬ添加して過塩素酸を中和した(合計２２０μＬ, 検体５倍希釈,中和後のｐＨは７．４未満)。検体を室温に戻したのち、酸前処理検体として使用した。
２．５％過塩素酸４４μＬに１Ｍ Ｔｒｉｓ／Ｃｌ（ｐＨ７．５）を１３８μＬ加えてあらかじめ中和した。その後にヒト血漿検体４４μＬを添加し、同じ溶液組成で過塩素酸前処理をしていない検体を得た。【００５１】
１−３．熱による前処理
ヒト血漿検体４４μＬにＰＢＳ１７６μＬを添加し（合計２２０μＬ, 検体５倍希釈）、７５℃で１５分間インキュベートした。インキュベートした検体を室温に戻したのち、熱前処理検体として使用した。
希釈したヒト血漿検体を室温(２０〜２５℃)で１５分間インキュベートし、同じ溶液組成で熱処理をしていない検体を得た。【００５２】
１−４．検体量
いずれの検体に関しても２測定分（２２０μＬ分, １測定は１００μＬ使用）の検体量を作製し、サンドイッチＥＬＩＳＡに用いた。【００５３】
１−５．抗体のビオチン標識
８６２０２Ｒ抗体を２ｍｇ／ｍＬ（１３．７μＭ, ＰＢＳで希釈）に調整し、２０倍量（２７４μＭ）のＥＺ−Ｌｉｎｋ Ｓｕｌｆｏ−ＮＨＳ−ＬＣ−Ｂｉｏｔｉｎ（Ｔｈｅｒｍｏ Ｆｉｓｈｅｒ Ｓｃｉｅｎｔｉｆｉｃ社製）と反応させた。反応は氷上で２時間行った。
ＰＢＳで透析することにより、未反応のＥＺ−Ｌｉｎｋ Ｓｕｌｆｏ−ＮＨＳ−ＬＣ−Ｂｉｏｔｉｎを除いた。透析は４℃, １００倍量で２回行った（Ｓｌｉｄｅ−Ａ−Ｌｙｚｅｒ Ｄｉａｌｙｓｉｓ ｃａｓ・BR>唐・狽狽・１０ｋ（Ｔｈｅｒｍｏ Ｆｉｓｈｅｒ Ｓｃｉｅｎｔｉｆｉｃ社製）を使用)。
透析後、分光光度計を用いて吸光度より抗体濃度を決定し、ビオチン標識８６２０２Ｒ抗体を得た。【００５４】
１−６．サンドイッチＥＬＩＳＡ
９６穴プレート（ｎｕｎｃイムノプレート, 品番４４２４０４, Ｔｈｅｒｍｏ Ｆｉｓｈｅｒ Ｓｃｉｅｎｔｉｆｉｃ社製）の各ウェルに固相用の８６２０７抗体（５μｇ／ｍＬ, １００μＬ, ＰＢＳで希釈）を分注し、４℃で一晩静置した。
各ウェルの液を除いた後、８連ピペットマンを用いて、各プレートウェルにＰＢＳＴ ２００μＬを２回分注した（合計４００μＬ）。添加したＰＢＳＴを除き、これらの操作を洗浄操作１回分とした。上記操作を３回行った（ＰＢＳＴ ４００μＬで３回洗浄, 以下の操作においても洗浄は同様の手順で行った）。
洗浄後、各ウェルにブロッキング液２００μＬを分注し、室温で１時間以上静置した。ブロッキング液を捨てた後、各前処理を行った検体１００μＬを各ウェルに添加し、２時間反応させた。
反応後、各ウェルの液を除き、ＰＢＳＴ ４００μＬで３回洗浄した。
１−５で作製したビオチン標識８６２０２Ｒ抗体（１μｇ/ｍＬ, １００μＬ, ブロッキング液で希釈）を各ウェルに分注し、２時間反応させた。
反応後、各ウェルの液を除き、ＰＢＳＴ４００μＬで３回洗浄した。
ブロッキング液で０．５μｇ／ｍＬに希釈したＳｔｒｅｐｔａｖｉｄｉｎ Ｐｒｏｔｅｉｎ ＨＲＰ ｃｏｎｊｕｇａｔｅ １００μＬ （品番２１１２６, Ｔｈｅｒｍｏ Ｆｉｓｈｅｒ Ｓｃｉｅｎｔｉｆｉｃ社製）を各ウェルに分注し、１時間静置した。
発色液１００μＬを各ウェルに分注し、室温で１０分間反応させた。
反応停止液１００μＬを各ウェルに添加した。
マイクロプレートリーダー（ｉＭａｒｋ, Ｂｉｏ−Ｒａｄ社製を使用）で４９０ｎｍの吸光度を測定した。【００５５】
１−７．結果
ＢＧを３５．０ｐｇ／ｍＬ含む検体（β-グルカン テストワコー：和光純薬工業株式会社製のリムルス試薬により測定）の測定結果を図１に示す。ＢＧを１７８．４ｐｇ／ｍＬ含む検体（β-グルカン テストワコーにより測定）の測定結果を図２に示す。
ＢＧを３５．０ｐｇ／ｍＬ又は１７８．４ｐｇ／ｍＬ含むいずれの検体においても、アルカリの前処理を行った検体では、他の２種類の前処理（酸及び熱）を行った検体と比較して測定感度が著しく向上した。【００５６】
〔実施例２：前処理液のｐＨの相違が検体中のＢＧ測定感度に及ぼす影響の確認〕
実施例２では、種々のｐＨを有するアルカリ溶液を用いてヒト血清検体の前処理を行った。真菌由来のＢＧを含まない陰性血清にＣＭパキマン（カルボキシメチルパキマン：ＢＧの一種、Ｍｅｇａｚｙｍｅ社製）を添加した検体を用いて、ヒト血清検体中のＢＧ測定の感度に対して、ｐＨの値が与える影響を検討した。リムルス試薬（β-グルカン テストワコー：和光純薬工業株式会社製）を用いた場合に、ＣＭパキマンを添加した検体は、真菌由来のＢＧを含む実検体に近い反応性を示す。ＣＭパキマンを６ｎｇ／ｍＬ添加した検体の吸光度は、真菌由来のＢＧを１７４ｐｇ／ｍＬ含む実検体の吸光度に相当する。アルカリ溶液による前処理操作、使用した固相用及び液相抗体、抗体へのビオチン標識並びにサンドイッチＥＬＩＳＡの手順は実施例１と同じである。使用した前処理用ＫＯＨ溶液濃度、前処理時のｐＨ、中和後のｐＨ、及び測定した吸光度の値（ブランク値を引いた後の吸光度）は、以下の表１のとおりである。また、処理時のｐＨと吸光度の関係を図３に示す。【００５７】
【表１】
2020022467.tif 000002
ｐＨが１０を超えると感度が向上し、１２．２以上では、感度上昇は頭打ちとなった。【００５８】
〔実施例３：アルカリ前処理時間が検体中のＢＧ測定感度に及ぼす影響の確認〕
実施例３では、アルカリ溶液による検体の前処理時間がＢＧ測定の感度に与える影響を検討した。前処理時間を種々の時間に変更したこと及びＣＭパキマンを添加したヒト血清検体を用いたこと以外の前処理手順は、実施例１のアルカリによる前処理と同じである。抗体へのビオチン標識並びにサンドイッチＥＬＩＳＡの手順は、実施例１と同じである。表２及び図４に結果を示す。測定した吸光度の値は、ブランク値を引いた後の吸光度を表す。【００５９】
【表２】
2020022467.tif 000003
処理時間を５分、１０分、１５分、３０分、及び６０分と変化させた場合でも、検体中のＢＧの測定感度は影響をほとんど受けないことが分かった。【００６０】
〔実施例４：アルカリ前処理温度が検体中のＢＧ測定感度に及ぼす影響の確認〕
実施例４では、アルカリ前処理時の温度がＢＧ測定の感度に与える影響を検討した。前処理時の温度を種々の温度に変更したこと及びＣＭパキマンを添加したヒト血清検体を用いたこと以外の前処理手順は、実施例１のアルカリ前処理と同じである。抗体へのビオチン標識並びにサンドイッチＥＬＩＳＡの手順は、実施例１と同じである。表３及び図５に結果を示す。【００６１】
【表３】
2020022467.tif 000004
温度が４〜３７℃の場合が最も感度がよいことが分かった。【００６２】
〔実施例５：実検体中のＢＧの検出下限の検討〕
実施例５では、実検体を用いて、サンドイッチＥＬＩＳＡの検出下限を検討した。固相用抗体として８６２０７抗体を使用し、液相抗体として、ビオチン標識８６２０２Ｒ抗体を使用した。【００６３】
５−１．アルカリによる前処理
実検体（真菌由来のＢＧを４２１．２ｐｇ／ｍＬ含むヒト血漿、β-グルカン テストワコーにより測定）を、ＢＧ陰性検体１２種を混合した希釈用プール血漿を用いて段階的に希釈し、希釈系列を調製した。当該検体１０２０μＬにアルカリ処理液１６８μＬ（８００ｍＭ ＫＯＨ：水酸化カリウム）を添加し、３７℃で１５分間インキュベートした。その後、８００ｍＭ ＨＣｌ、１００ｍＭ ＭＯＰＳ（ｐＨ７．５）を１６８μＬずつ添加し、アルカリ処理液を中和した(合計１３５６μＬ, 検体３／４倍希釈，１２測定分)。これらをアルカリ前処理検体とした。【００６４】
５−２．抗体のビオチン標識
実施例１と同様の手順で抗体のビオチン標識を行った。【００６５】
５−３．サンドイッチＥＬＩＳＡ
実施例１と同様の手順でサンドイッチＥＬＩＳＡを行った。ただし、ビオチン標識抗体の濃度は４μｇ／ｍＬとした。各試料はｎ＝１２測定を行った。【００６６】
５−４．結果
結果を下記の表４及び図６に示す。表４の吸光度はｎ＝１２測定の平均値を表し、ＳＤは標準偏差を示す。【００６７】
【表４】
2020022467.tif 000005
実濃度０．０ｐｇ／ｍＬの試料の吸光度の平均値に該試料の２．６ＳＤを加算した値（０．２１４）は、５．５ｐｇ／ｍＬの試料の吸光度平均に該試料の２．６ＳＤを減算した値（０．２５４）よりも小さく、実検体中に含まれる真菌由来のＢＧが５．５ｐｇ／ｍＬ（リムルス試薬による測定値）である場合であっても、本発明の免疫学的分析方法の一実施形態であるＥＬＩＳＡにおいてＢＧを検出できることが分かった。和光純薬工業株式会社製のリムルス試薬のカットオフ値は１１ｐｇ／ｍＬであり、本発明の免疫学的分析方法の一実施形態であるＥＬＩＳＡがリムルス試薬と同等の感度を有することが、この結果により示された。【００６８】
〔実施例６：市販のリムルス試薬との相関の検討〕
実施例６では、サンドイッチＥＬＩＳＡによる測定値とリムルス試薬による測定値との相関を、ヒト血漿試料（ｎ＝３９）を用いて検討した。固相用抗体として８６２０７抗体を使用し、液相抗体として、ＨＲＰ標識８６２０２Ｒ抗体を使用した。【００６９】
６−１．アルカリによる前処理
ヒト血漿を用いたこと以外は、実施例１と同様の手順で行った。【００７０】
６−２．抗体のＨＲＰ標識
ＨＲＰ標識キット（同人化学社製, Ｐｅｒｏｘｉｄａｓｅ Ｌａｂｅｌｉｎｇ Ｋｉｔ−ＳＨ,  ＬＫ０９）を使用して８６２０２Ｒ抗体のＨＲＰ標識を行った。
標識後のタンパク質定量は、ＢＣＡ法により行った（キット名：Ｍｉｃｒｏ ＢＣＡ ｐｒｏｔｅｉｎ ａｓｓａｙ ｋｉｔ, Ｔｈｅｒｍｏ Ｓｃｉｅｎｔｉｆｉｃ社製, 品番：２３２３５）。【００７１】
６−３．サンドイッチＥＬＩＳＡ
９６穴プレート（ｎｕｎｃイムノプレート, 品番４４２４０４, Ｔｈｅｒｍｏ Ｆｉｓｈｅｒ Ｓｃｉｅｎｔｉｆｉｃ社製）の各ウェルに固相用の８６２０７抗体（５μｇ／ｍＬ, １００μＬ, ＰＢＳで希釈）を分注し、４℃で一晩静置した。
各ウェルの液を除いた後、８連ピペットマンを用いて、各プレートウェルにＰＢＳＴ ２００μＬを２回分注した（合計４００μＬ）。添加したＰＢＳＴを除き、これらの操作を洗浄操作１回分とした。上記操作を３回行った（ＰＢＳＴ４００μＬで３回洗浄, 以下の操作においても洗浄は同様の手順で行った）。
洗浄後、各ウェルにブロッキング液２００μＬを分注し、室温で１時間以上静置した。
ブロッキング液を捨てた後、各前処理を行った検体１００μＬを各ウェルに添加し、９０分反応させた。
反応後、各ウェルの液を除き、ＰＢＳＴ４００μＬで３回洗浄した。
６−２で作製したＨＲＰ標識８６２０２Ｒ抗体（０．５μｇ／ｍＬ, １００μＬ, ブロッキング液で希釈）を各ウェルに分注し、３０分間反応させた。
反応後、各ウェルの液を除き、ＰＢＳＴ４００μＬで３回洗浄した。
発色液１００μＬを各ウェルに分注し、室温で１０分間反応させた。
反応停止液１００μＬを各ウェルに添加した。
マイクロプレートリーダー（Ｍｕｌｔｉｓｋａｎ ＦＣ, ｔｈｅｒｍｏ ｓｃｉｅｎｔｉｆｉｃ社製を使用）で４９２ｎｍの吸光度を測定した。【００７２】
６−４．リムルス試薬
リムルス試薬（商品名：β−グルカンテストワコー、和光純薬工業株式会社製）の添付文書に記載のプロトコルに従ってＢＧの測定を行った。【００７３】
６−５．結果
リムルス試薬の測定値とＥＬＩＳＡによる吸光度との相関を図７に示す。
本発明の免疫学的分析方法の一実施形態のサンドイッチＥＬＩＳＡによる吸光度測定値は、リムルス試薬による測定値と相関を示した。
【産業上の利用可能性】
【００７４】
本発明によれば、感度がリムルス試薬と同等である、生体試料中のＢＧの免疫学的分析方法を行うことが可能である。本発明によれば、感度がリムルス試薬と同等であり、そして操作が簡便である生体試料中のＢＧの分析用キットを提供することができる。 
【図１】
2020022467.tif 000006
【図２】
2020022467.tif 000007
【図３】
2020022467.tif 000008
【図４】
2020022467.tif 000009
【図５】
2020022467.tif 000010
【図６】
2020022467.tif 000011
【図７】
2020022467.tif 000012
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
アルカリ溶液を用いて生体試料を前処理する工程と
前記生体試料を中和する工程と
抗（１→３）−β−Ｄ−グルカンモノクローナル抗体を用いて、前記生体試料中の（１→３）−β−Ｄ−グルカンを分析する工程と
を含む、生体試料中の（１→３）−β−Ｄ−グルカンの免疫学的分析方法。
【請求項２】
前記生体試料が、血液、血漿、又は血清である、請求項１に記載の免疫学的分析方法。
【請求項３】
前記アルカリ溶液のｐＨが１１以上である、請求項１又は２に記載の免疫学的分析方法。
【請求項４】
ＥＬＩＳＡを用いる、請求項１〜３のいずれか一項に記載の免疫学的分析方法。
【請求項５】
以下の（ａ）及び（ｂ）を含む、生体試料中の（１→３）−β−Ｄ−グルカン分析用キット
（ａ）第１の抗（１→３）−β−Ｄ−グルカンモノクローナル抗体を固定化した固相、及び
（ｂ）生体試料用アルカリ前処理液。
【請求項６】
前記生体試料が、血液、血漿、又は血清である、請求項５に記載の（１→３）−β−Ｄ−グルカン分析用キット。
【請求項７】
前記（ｂ）生体試料用アルカリ前処理液のｐＨが、１１以上である、請求項５又は６に記載の（１→３）−β−Ｄ−グルカン分析用キット。
【請求項８】
（ｃ）前記生体試料用アルカリ前処理液の中和用溶液をさらに含む、請求項５〜７のいずれか一項に記載の（１→３）−β−Ｄ−グルカン分析用キット。
【請求項９】
（ｄ）標識物質で標識された第２の抗（１→３）−β−Ｄ−グルカンモノクローナル抗体をさらに含む、請求項５〜８のいずれか一項に記載の生体試料中の（１→３）−β−Ｄ−グルカン分析用キット。
【請求項１０】
抗（１→３）−β−Ｄ−グルカンモノクローナル抗体を使用する生体試料中の（１→３）−β−Ｄ−グルカンの免疫学的分析方法に使用するための、生体試料用アルカリ前処理液。
【請求項１１】
ｐＨが１１以上である、請求項１０に記載の生体試料用アルカリ前処理液。
【国際調査報告】
2020022467.tif 000013
2020022467.tif 000014
2020022467.tif 000015
2020022467.tif 000016